(57)【要約】      （修正有）【課題】持ち運び、操縦性、および保守が容易な液体エキストラクションデバイスを提供する。【解決手段】装置１００は、ボディ１０１、第一タンク、第二タンク、真空モータ、流体ポンプ、およびコントローラーを含む。ボディは、ハンドル、および、流体出口および電気コンタクトを含むアクセサリ接続レセプタクルを含む。第一タンクは流体を収容するように構成された第一容器を、第二タンクは第一容器とは分離された第二容器を含む。前記コントローラーは、流体ポンプを作動させて第一タンクに含有される流体を流体出口に供給し、真空モータを作動させて空気、屑、液体または流体の一部のうち、１またはそれ以上を第二タンクに吸い込むように構成されている。アクセサリ接続レセプタクルは、アクセサリ接続レセプタクルとかみ合うように構成され、流体出口および電気コンタクトと連結された対応する形状のアクセサリコネクタを収容するように構成されている。【選択図】図１
2019072464.tif 000002
【特許請求の範囲】
【請求項１】
ハンドル、
第一流体継手、
第一空気路、
第二空気路、および、
流体出口および電気コンタクトを含むアクセサリ接続レセプタクル、を含むボディと、
前記ハンドルの第一側にある第一タンクであって、
流体を収容するように構成された第一容器、および
前記第一流体継手と連結された第二流体継手、を含む第一タンクと、
前記ハンドルの第二側にある第二タンクであって、
前記第一容器と分離された第二容器、
前記第一空気路と連結された第三空気路、および、
前記第二空気路と連結された第四空気路、を含む第二タンクと、
前記第二タンクを経由して前記第二空気路と連結される入口を有する真空モータと、
前記第一流体継手および前記流体出口と連結される流体ポンプと、
前記真空モータ、前記流体ポンプ、および前記電気コンタクトと連結されるコントローラーであって、前記流体ポンプを作動させて前記第一タンクに含有される流体を前記流体出口に供給し、前記真空モータを作動させて空気、屑、液体または流体の一部のうち、１またはそれ以上を、前記第二空気路を経由して、前記第二タンクに吸い込むように構成される、前記コントローラーとを含み、
前記アクセサリ接続レセプタクルは、対応する形状のアクセサリコネクタを収容するように構成され、前記アクセサリコネクタは、前記アクセサリ接続レセプタクルと結合し、前記流体出口および前記電気コンタクトと連結されるように構成されている、装置。
【請求項２】
前記ボディの一側の表面から延びるベースと、
前記ボディとは反対側の、前記ベースの端部におけるパネルと,
を含むホースラックをさらに含み、
前記パネルは、前記パネルと前記ボディとの間のスペースにおいて前記ベースの周りに巻き付けられたホースを保持するように構成されている、請求項１に記載の装置。
【請求項３】
前記パネルがＸ形状である、請求項２に記載の装置。
【請求項４】
ボディに面する前記パネルの表面と反対側のパネルの表面において、ホルスターをさらに含み、
前記ホルスターは、前記付属ハンドグリップの少なくとも一部をリリース可能に前記キャビティに保持するために、付属ハンドグリップを収容するように構成されたキャビティを区画する少なくとも１つの側壁を有する、請求項２に記載の装置。
【請求項５】
前記ホルスターは、前記付属ハンドグリップの流体出口が、前記キャビティの底に面するように前記付属ハンドグリップを保持するように構成されており、前記少なくともキャビティを区画する側壁は、前記キャビティの底に１またはそれ以上のドレンホールを有する、請求項４に記載の装置。
【請求項６】
前記ボディはさらに、凹んだ領域を区画する側壁を含み、前記凹んだ領域は、前記付属ハンドグリップと連結されるように構成された付属アタッチメントをリリース可能に保持するように構成されている、請求項４に記載の装置。
【請求項７】
側壁を含むアクセサリクレードルキャップをさらに含み、前記側壁は、前記ボディと連結されたとき、前記付属アタッチメントの少なくとも一部を収容するように構成されたアクセサリクレードルを区画する、請求項６に記載の装置。
【請求項８】
前記凹んだ領域は、前記付属アタッチメントの形状に実質的に合う形状を有する、請求項６に記載の装置。
【請求項９】
前記凹んだ領域を区画する壁は、前記ホースラックと反対側の前記ボディの一側にある、請求項６に記載の装置。
【請求項１０】
前記アクセサリ接続レセプタクルが、前記ホースラックの前記ベースにある、請求項２の装置。
【請求項１１】
前記ホースラックは、前記ホースラックの前記ベースに第五空気路を含み、前記第五空気路は第二空気路と連結されるように構成され、前記第五空気路は、ホースと連結されるように構成されている、請求項１０の装置。
【請求項１２】
前記第五空気路は、前記アクセサリ接続レセプタクルを有する前記ベースの一側とは反対の前記ベースの一側にある、請求項１１の装置。
【請求項１３】
前記第五空気路と連結されたホース、前記流体出口と連結された流体供給ライン、前記電気コンタクトと連結された電力供給ライン、および付属ハンドグリップをさらに含み、前記付属ハンドグリップは、前記流体出口と連結された流体継手、前記電力供給ラインと連結された電気継手、および、前記ホースと連結されたハンドグリップ空気路を含む、請求項１１の装置。
【請求項１４】
前記付属ハンドグリップにリリース可能に取り付けされるように構成された付属アタッチメントをさらに含み、前記付属アタッチメントは、前記付属ハンドグリップを経由して、前記流体出口からの流体を受け、前記付属ハンドグリップを経由して、電気コンタクトから電気を受け、また、前記真空モータから供された吸引力に基づいて空気、屑、液体または流体の一部のうち、１またはそれ以上を付属ハンドグリップ空気路に吸い込むように構成されている、請求項１３の装置。
【請求項１５】
前記付属アタッチメントは、
前記付属ハンドグリップに含まれるトリガーの作動にもとづいて、前記付属アタッチメントの外の表面に流体を排出するように構成された流体出口、
前記ハンドグリップ空気路と連結されるように構成されたアタッチメント空気路、および
前記アタッチメント空気路と連結されたノズルを含み、
前記付属アタッチメントは、前記ノズルを経由して、空気、屑、液体または流体の一部のうち、１またはそれ以上を前記付属ハンドグリップ空気路に吸い込むように構成されている、請求項１４の装置。
【請求項１６】
前記付属アタッチメントは、
前記電気継手と連結されるように構成されたアクセサリ電気コンタクト、
前記アクセサリ電気コンタクトと連結されたアジテータモータ、および
前記アジテータモータと連結されたアジテータ、をさらに含み、
前記アジテータモータは、前記コントローラーから受けとった１またはそれ以上のインストラクション、または、前記付属ハンドグリップを経由して、前記アジテータモータに供給された電気に基づいて、前記アジテータを動かすように構成されている、請求項１５の装置。
【請求項１７】
前記アジテータは、前記ノズルに向かう方向に動くように構成されたスピンブラシである、請求項１６の装置。
【請求項１８】
前記ハンドルは、ネック部分、および、前記ネック部分の端部におけるグリップ部分を含み、前記ハンドルは、折り畳まれた位置および延ばされた位置から移動可能に構成され、
前記ネック部分は、実質的に前記ボディの１またはそれ以上の側壁により区画されたキャビティ内にあり、
前記グリップ部分は、前記ハンドルが折り畳まれた位置にあるとき、前記ボディの１またはそれ以上の側壁により区画された前記キャビティの外にあり、
前記ネック部分は、前記ハンドルが延ばされた位置にあるとき、実質的に前記ボディの１またはそれ以上の側壁により区画された前記キャビティの外にある、請求項１に記載の装置。
【請求項１９】
第一流体継手、
第一空気路、
第二空気路、および、
流体出口および電気コンタクトを含むアクセサリ接続レセプタクル、
前記アクセサリ接続レセプタクルと分離され、前記第二空気路と連結されたアクセサリ接続空気路、を含むボディと、
前記ボディの第一側にある第一タンクであって、
流体を収容するように構成された第一容器、および
前記第一流体継手と連結された第二流体継手、を含む第一タンクと、
前記ボディの第二側にある、第二タンクであって、
前記第一容器とは分離された第二容器、
前記第一空気路と連結された第三空気路、および
前記第二空気路と連結された第四空気路、を含む第二タンクと、
前記第二タンクを経由して、前記第二空気路と連結された入口を有する真空モータと、
前記第一流体継手および前記流体出口と連結された流体ポンプと、
前記真空モータ、前記流体ポンプ、および前記電気コンタクトと連結されたコントローラーであって、前記流体ポンプを作動させて前記第一タンクに含有される流体を前記流体出口に供給し、前記真空モータを作動させて、前記アクセサリ接続空気路を経由して、空気、屑、液体または流体の一部のうち、１またはそれ以上を前記第二タンクに吸い込むように構成された前記コントローラーと、
ホース、流体供給ライン、電力供給ライン、前記流体供給ラインおよび前記電力供給ラインと連結したアクセサリコネクタ、および、付属ハンドグリップを含むアクセサリ連結パッケージであって、前記付属ハンドグリップは、前記流体供給ラインと連結された流体継手、前記電力供給ラインと連結された電気継手、および前記ホースと連結されたハンドグリップ空気路を有する前記アクセサリ連結パッケージと、
を含む装置であって、
前記アクセサリコネクタは、前記アクセサリ接続レセプタクルとかみ合い、前記流体出口および前記電気コンタクトと連結されるように構成され、
前記ホースは、前記アクセサリ接続空気路と連結されるように構成されている、装置。
【請求項２０】
第一流体継手、
第一空気路、
第二空気路、
流体出口および電気コンタクトを含むアクセサリ接続レセプタクル、および
前記アクセサリ接続レセプタクルと分離され、前記第二空気路と連結されたアクセサリ接続空気路、を含むボディと、
前記ボディの第一側にある第一タンクであって、
流体を収容するように構成された第一容器、および
第一流体継手と連結された第二流体継手、を含む第一タンクと、
前記ボディの第二側にある第二タンクであって、
前記第一容器とは分離された第二容器、を含む第二タンクと、
前記第二容器は、前記第一空気路と連結されるように構成された第三空気路、および前記第二空気路と連結されるように構成された第四空気路を有し、前記第三空気路および前記第二空気路のそれぞれは、前記第二容器内でのキャビティへの、およびキャビティからの空気の流れを容易にするように構成され、
前記第二タンクを経由して前記第二空気路と連結された入口を有する真空モータと、
前記第一流体継手および前記流体出口と連結された流体ポンプと、
前記真空モータ、前記流体ポンプ、および前記電気コンタクトと連結されたコントローラーであって、前記流体ポンプを作動させて前記第一タンクに含有される流体を前記流体出口に供給し、前記真空モータを作動させて、前記アクセサリ接続空気路を経由して、空気、屑、液体または流体の一部のうち、１またはそれ以上を前記第二タンクに吸い込むように構成されたコントローラーと、
ホース、流体供給ライン、電力供給ライン、前記流体供給ラインおよび前記電力供給ラインと連結したアクセサリコネクタ、および、付属ハンドグリップを含むアクセサリ連結パッケージであって、前記付属ハンドグリップは、前記流体供給ラインと連結された流体継手、前記電力供給ラインと連結された電気継手、および前記ホースと連結されたハンドグリップ空気路を有する前記アクセサリ連結パッケージと、
を含む装置であって、
前記アクセサリコネクタは、前記流体出口を前記流体供給ラインに連結し、前記電気コンタクトを前記電力供給ラインに連結するように、前記アクセサリ接続レセプタクルとかみ合うように構成されており、前記ホースは、前記ハンドグリップ空気路を前記アクセサリ接続空気路に連結するように、前記アクセサリ接続空気路と連結するように構成されている、装置。
【発明の詳細な説明】
【背景技術】
【０００１】
デバイスメーカーおよびサービス提供者は、消費者に対し価値と利便性を提供できる洗浄システムを開発するように継続的に要求されている。従来の床洗浄システムは、消費者が躊躇するようなものであることが多く、柔軟性が限られている。
【発明を実施するための形態】
【０００２】
本開示の態様は、以下の「詳細な説明」を添付の図と共に読むことにより最も良く理解される。業界の標準的プラクティスに従って、様々な特徴は、比率に応じて描かれていない。実際、様々な特徴の寸法は、説明を明確にするために、任意に大きくしたり小さくしたりすることがある。
【図面の簡単な説明】
【０００３】
図１は、いくつかの実施形態による、装置の透視図である。
【０００４】
図２は、いくつかの実施形態による、装置の背面透視図である。
【０００５】
図３は、いくつかの実施形態による、上右側から見た装置の透視図である。
【０００６】
図４は、いくつかの実施形態による、上左側から見た装置の透視図である。
【０００７】
図５は、いくつかの実施形態による、下背面側から見た装置の透視図である。
【０００８】
図６は、いくつかの実施形態による、上右側から見た装置の透視図である。
【０００９】
図７は、いくつかの実施形態による、洗浄流体タンクの透視図である。
【００１０】
図８は、いくつかの実施形態による、リカバリータンクの透視図である。
【００１１】
図９は、いくつかの実施形態による、伸展した位置にあるハンドルの透視図である。
【００１２】
図１０は、いくつかの実施形態による、アクセサリのレセプタクルの透視図である。
【００１３】
図１１は、いくつかの実施形態による、アクセサリコネクタの透視図である。
【００１４】
図１２は、いくつかの実施形態による、付属ハンドグリップの透視図である。
【００１５】
図１３は、いくつかの実施形態による、付属アタッチメントパッケージの透視図である。
【００１６】
図１４は、いくつかの実施形態による、付属アタッチメントの透視図である。
【００１７】
図１５は、いくつかの実施形態による、コントロールシステムの概略図である。
【００１８】
図１６は、いくつかの実施形態による、流体の流れのシステム図である。
【００１９】
図１７は、いくつかの実施形態による方法のフローチャートである。
【００２０】
図１８は、実施形態が実施される、コンピューターまたはプロセッサに基づいたシステムの機能ブロック図である。
【詳細な説明】
【００２１】
以下では、提供される主題の異なる特徴を実施するための、実施形態、すなわち実施例を多様に開示している。以下では、本開示を平易にするために、コンポーネントおよび取り合わせの特定の実施例を説明している。当然のことながら、これらは単に例示であり、限定を意図したものではない。たとえば、以下における説明での、第一の特徴が第二の特徴の上（ｏｖｅｒまたはｏｎ）にある位置は、第一のおよび第二の特徴が直接に接触している実施形態を含み、追加の特徴が、第一のおよび第二の特徴が直接接触しないように、第一の特徴と第二の特徴の間にある実施形態をも含む。また、本開示では、異なる実施例で同じ参照符号および／または文字を繰り返して使用する場合がある。この繰り返しは、平易・明確にする目的で行われており、参照符号・文字そのものは、開示された異なる実施形態および／または構成間の関係を規定するものではない。
【００２２】
さらに、本明細書中、「下（ｂｅｎｅａｔｈ）」、「下（ｂｅｌｏｗ）」、「下（ｌｏｗｅｒ）」、「上（ａｂｏｖｅ）」、「上（ｕｐｐｅｒ）」等の空間的関係を示す用語は、図中に描かれた１つの要素、または特徴と、他の要素、または特徴との関係の説明を容易にするために使用されている。空間的関係用語は、図中に描かれた向きに加えて、使用中または運転中のデバイスの異なる向きも包含することを意図している。装置は、その他の向き（９０度に回転またはその他の向き）にも配向することができ、本明細書中に使用された空間上関係を説明する用語も同様に、そのように解釈される。
【００２３】
従来の液体エキストラクションデバイスは、大型で、嵩高く、しりごみするような洗浄システムであり、かかる洗浄システムは、消費者にとって操作と取り扱いとが困難である。従来の洗浄システムは、消費者がどのように洗浄システムの構成要素を操作できるかが限られていることが多く、持ち運び、操縦性、および保守を困難にしていた。
【００２４】
図１は、いくつかの実施形態による、装置１００の透視図である。装置１００は、ボディ１０１、洗浄流体タンク１０３、リカバリータンク１０５、ハンドル１０７、および、ホースラック１０９を含む。装置１００は、ボディ１０１上または中に組み込まれた１またはそれ以上の付属アタッチメントクレードル１１１、付属アタッチメント１１３、アクセサリ連結パッケージ１１５、付属ハンドグリップ１１７、またはホイール１１９を任意に含む。
【００２５】
装置１００は、液体エキストラクション洗浄システムである。ボディ１０１は、上側１０１ａ、底側１０１ｂ、前側１０１ｃ、後側１０１ｄ、左側１０１ｅ、および右側１０１ｆを有する。ボディ１０１は、上側１０１ａ、底側１０１ｂ、前側１０１ｃ、後側１０１ｄ、左側１０１ｅ、および右側１０１ｆと、そしてその中の少なくとも１つのキャビティとを区画する、１またはそれ以上の側壁を含む。いくつかの実施形態において、ボディ１０１は、１またはそれ以上のパネルを含み、このパネルは、ボディ１０１の上側１０１ａ、底側１０１ｂ、前側１０１ｃ、後側１０１ｄ、左側１０１ｅ、および右側１０１ｆを区画する、１またはそれ以上の側壁を含む。いくつかの実施形態において、１またはそれ以上のパネルは、ボディ１０１を握るエリアとして使用できるように構成された、少なくとも１つの凹部１０２を含む。
【００２６】
洗浄流体タンク１０３およびリカバリータンク１０５のそれぞれは、ボディ１０１の、対応する洗浄流体タンク座部１２１またはリカバリータンク座部１２３に挿入される。洗浄流体タンク１０３およびリカバリータンク１０５のそれぞれは、ボディ１０１の対応する部分に、連結している。
【００２７】
ボディ１０１は、洗浄流体タンク１０３またはリカバリータンク１０５をボディ１０１に着脱可能に固定させるように、洗浄流体タンク１０３またはリカバリータンク１０５の少なくとも１つと協働するように構成されている。いくつかの実施形態において、ボディ１０１は、洗浄流体タンク１０３をボディ１０１に固定させるように構成された、ロック機構１２５を含む。いくつかの実施形態において、ロック機構１２５は、１またはそれ以上のボタン、バックル、ラッチ、フック、１またはそれ以上のピン、節、フック、その他の好適なファスナー、またはその他の好適な、洗浄流体タンク１０３をボディ１０１着脱可能に固定させる、洗浄流体タンク１０３とかみ合うように構成された構造を含む。ボディ１０１は、リカバリータンク１０５をボディ１０１に固定させるように構成された、ロック機構１２７を含む。いくつかの実施形態において、ロック機構１２７は、１またはそれ以上のボタン、バックル、ラッチ、フック、１またはそれ以上のピン、節、フック、その他の好適なファスナー、またはその他の好適な、リカバリータンク１０５をボディ１０１に着脱可能に固定させる、リカバリータンク１０５とかみ合うように構成された構造を含む。いくつかの実施形態において、ボディ１０１は、タンクキャディーを含み、タンクキャディーは、１またはそれ以上のボディ１０１の側壁を含み、ボディ１０１の側壁は、タンク座部１２１の洗浄流体タンク１０３およびタンク座部１２３の洗浄流体タンク１０５で、ボディ１０１の残りの部分から分離されることが可能である。
【００２８】
ハンドル１０７は、ボディ１０１の一部に組み込まれているか、またはボディ１０１の一部に連結されている。ハンドル１０７は、洗浄流体タンク１０３およびリカバリータンク１０５の間にある。ハンドル１０７は、折り畳まれた位置から、延ばされた位置に、移動可能なように構成されている。図１において、ハンドル１０７は、折り畳まれた位置にあるように描かれている。ハンドル１０７は、折り畳まれた位置または延ばされた位置において、ロックされるように構成されている。ハンドル１０７は、装置１００の持ち運び、または配置の少なくとも１つを容易にするように構成されている。いくつかの実施形態において、ハンドル１０７は、リリース機構１２９が作動していない限り、ハンドルを折り畳まれた位置または延ばされた位置に保持するロック機構と相互に作用するように構成されているリリース機構１２９を含む。いくつかの実施形態において、リリース機構１２９は、ボタンまたはハンドル１０７において、その他の好適な構造を含む。いくつかの実施形態において、リリース機構１２９と相互に作用するように構成されているロック機構は、１またはそれ以上のフック、戻り止め、バネ荷重構造、または、ハンドル１０７を折り畳まれた位置または延ばされた位置に保持するように、１またはそれ以上のハンドル１０７またはリリース機構１２９と相互に作用できるその他の好適な構造を含む。
【００２９】
パワーボタン１３０は、ボディ１０１上にある。いくつかの実施形態において、パワーボタン１３０は、ボディ１０１の上側１０１ａにある。いくつかの実施形態において、パワーボタン１３０は、ボディ１０１の別の場所にある。いくつかの実施形態において、パワーボタン１３０、またはこれ以外のパワーボタンは、ハンドル１０７上、付属アタッチメント１１３上または付属ハンドグリップ１１７上にある。使用において、ボディ１０１の１またはそれ以上のコンポーネントは、洗浄流体タンク１０３内に収容された流体をボディ１０１の流体出口に供給するように構成されている。いくつかの実施形態において、１またはそれ以上の付属アタッチメント１１３、アクセサリ連結パッケージ１１５、または付属ハンドグリップ１１７は、洗浄流体タンク１０３内に収容された流体をボディ１０１外の表面に吐出するように、および、１またはそれ以上の空気、屑、液体または流体の一部をボディ１０１外の表面からリカバリータンク１０５中に吸い込むのを容易にするように、ボディ１０１に連結している。
【００３０】
本明細書中で記載した多様な実施形態は、装置１００等の液体エキストラクション装置をユーザが自信を持って移動や操作できるようにする。たとえば、装置１００のモジュール構成は、非モジュールの液体エキストラクションシステムに比較して、ユーザが装置１００の移動を容易にできる。付属アタッチメント１１３、アクセサリ連結パッケージ１１５および付属ハンドグリップ１１７は、ボディ１０１から分離することができる。付属アタッチメント１１３、アクセサリ連結パッケージ１１５および付属ハンドグリップ１１７を分離することにより、装置１００の全体的重量を少なくとも２つの部分に減少し、ユーザが持ち上げたりおよび操縦したりするのを容易にしている。
【００３１】
また、ボディ１０１から付属アタッチメント１１３、アクセサリ連結パッケージ１１５、および、付属ハンドグリップ１１７を分離できることで、ボディ１０１を別の選択肢によるアクセサリ、アクセサリ連結パッケージ、ホース、またはハンドグリップと連結でき、あるいは、付属アタッチメント１１３、アクセサリ連結パッケージ１１５および／または付属ハンドグリップ１１７をその他のボディ１０１またはその他のタイプのエキストラクションシステムと使用することを可能にしている。
【００３２】
いくつかの実施形態において、装置１００の全体的重量を少なくとも２つのモジュール部分に分割することが可能であるため、ボディ１０１は、従来の液体エキストラクションシステムに比較して大きい真空モータを収容し洗浄性能を高めることができる。たとえば、従来の液体エキストラクションシステムに、液体エキストラクションシステムの持ち上げ重量限界値が設定されると、吸引力が限定的になることがある。その理由は、液体エキストラクションシステムに含まれる真空モータのサイズを大きくすると、液体エキストラクションシステムが重過ぎて持ち上げられなくなる懸念がある点にある。従来の液体エキストラクションシステムは、持ち運びができるという点で洗浄性能を妥協していることが多い。付属アタッチメント１１３、アクセサリ連結パッケージ１１５および／または付属ハンドグリップ１１７をボディ１０１から分離できることで、吸引力向上のために重量が重くなること、そしてこのことが一般的ユーザが装置１００を持ち上げるのを困難にするという恐れを克服している。
【００３３】
アクセサリ連結パッケージ１１５は、ホース１３１、流体供給ライン１３３、および電力供給ライン１３５を含む。いくつかの実施形態において、アクセサリ連結パッケージ１１５は、付属ハンドグリップ１１７を含む。
【００３４】
いくつかの実施形態において、ボディ１０１の側を区画する、１またはそれ以上のパネルは、中に折り畳まれた特徴へのアクセスが容易なように、取り外しが可能である。いくつかの実施形態において、ボディ１０１の側を区画する、１またはそれ以上のパネルは、ユーザが装置１００の保守目的で容易にアクセスができるように、クイックリリースパネルである。いくつかの実施形態において、少なくとも１つの、１またはそれ以上のクイックリリースパネルは、１またはそれ以上のファスナーにより、ボディ１０１の別の部分に連結されている。いくつかの実施形態において、１またはそれ以上のファスナーは、従来のドライバー、フラットヘッドドライバー、フィリップスヘッドドライバー、六角ドライバー、トルクスドライバー、またはその他の好適なタイプのドライバーを使用して締めたり緩めたりできる。いくつかの実施形態において、ファスナーによってボディ１０１と連結しているクイックリリースパネルの全ては、ボディ１０１およびそこに収容されたコンポーネントに容易にアクセスできるように、同じタイプのファスナーにより連結されている。
【００３５】
付属アタッチメントクレードル１１１は、ボディ１０１の１またはそれ以上の側壁により区画された、凹んだ領域である。いくつかの実施形態において、凹んだ領域は、付属アタッチメント１１３の形状と実質的に合う形状を有する。いくつかの実施形態において、凹んだ領域は、少なくとも部分的に柔軟性があり、付属アタッチメント１１３を受けるため、そしてリリースするために曲がるように構成されている、少なくとも１つの部分を有する。いくつかの実施形態において、付属アタッチメント１１３等の付属アタッチメントをリリース可能に保持する。いくつかの実施形態において、アクセサリクレードルキャップ１３７は、着脱可能にボディ１０１に取り付けられている。いくつかの実施形態において、アクセサリクレードルキャップ１３７は、ボディ１０１と一体的に形成されている。アクセサリクレードルキャップ１３７は、ボディ１０１と連結された時に、付属アタッチメント１１３の少なくとも一部を収容するように構成されたキャビティを区画する、少なくとも１つの側壁を含む。いくつかの実施形態において、アクセサリクレードルキャップ１３７、および、付属アタッチメントクレードル１１１を区画するボディ１０１の凹んだ領域を区画するキャビティは、付属アタッチメント１１３のネック部を受けるように構成されている。いくつかの実施形態において、アクセサリクレードルキャップ１３７は、その底部分に、１またはそれ以上のドレンホール１３９を含む。
【００３６】
図２は、いくつかの実施形態による装置１００の背面透視図である。図２において、アクセサリ連結パッケージ１１５（図１）および付属ハンドグリップ１１７（図１）が取り外されている。ホースラック１０９は、ボディ１０１の後側１０１ｄの表面から延びるベース２０１、および、ベース２０１の、ボディ１０１とは反対側の端部にあるパネル２０３を含む。パネル２０３は、アクセサリ連結パッケージ１１５等のアクセサリ連結パッケージ、または、ホース１３１等のホースを、ホースがベース２０１の周りに巻き付けられている場合に、パネル２０３とボディ１０１の間のスペースに保持するように構成されている。いくつかの実施形態において、パネル２０３は、ｘ形状を有する。ｘ形状のパネルは、ユーザがアクセサリ連結パッケージまたはホースを、絡まること無しにベース２０１周りにより良くまきつけられるようにする。また、ｘ形状のパネルは、たとえば、四角、円、または矩形の形状のパネルに比較して、重量が少ない。いくつかの実施形態において、パネル２０３は、円、三角、四角、矩形、五角形、六角、八角、楕円、またはその他の好適な形状を有する。いくつかの実施形態において、ホースラック１０９は、その周りにアクセサリ連結パッケージまたはホースを巻き付けることができる、少なくとも２つのフックに代替される。
【００３７】
ホルスター２０９は、パネル２０３のボディ１０１に面した表面と反対の、パネル２０３の裏面側にある。ホルスター２０９は、付属ハンドグリップ１１７等の付属ハンドグリップをキャビティに収容するように構成された、キャビティを区画する、少なくとも１つの側壁を含む。いくつかの実施形態において、ホルスター２０９は、リリース可能にパネル２０３に連結されている。いくつかの実施形態において、ホルスター２０９は、ホルスター２０９を容易にパネル２０３に連結したり、パネル２０３から分離できるように、プッシュ−ピンまたはその他の好適なファスナーによって、パネル２０３と連結されている。いくつかの実施形態において、ホルスター２０９は、パネル２０３と一体的に形成されている。ホルスター２０９は、付属ハンドグリップを、リリース可能に保持するように構成されている。いくつかの実施形態において、ホルスター２０９は、付属ハンドグリップの流体出口が、ホルスター２０９の底側２０９ａに面するように、付属ハンドグリップを保持するように構成されている。いくつかの実施形態において、ホルスター２０９の底側２０９ａは、１またはそれ以上のドレンホールを有する。付属ハンドグリップ１１７がホルスター２０９に収容されている間に、たとえば、付属ハンドグリップ１１７を経由して装置１００から吐出された流体、または、たとえば、付属ハンドグリップ１１７を経由してホース１３１に吸い込まれた何らかの液体または流体が付属ハンドグリップ１１７に残ったら、ドレンホールが、残った流体または液体の少なくとも幾分かをホルスター２０９から排出する。
【００３８】
いくつかの実施形態において、ボディ１０１は、装置１００に電力を供給するように構成された電源コード２１３を収容するように構成された１またはそれ以上のフック２１１を有する。いくつかの実施形態において、１またはそれ以上のフック２１１のうちの、少なくとも１つは、電源コード２１３が、フック２１１の周りに巻き付けられている場合に、フック２１１の位置に基づいて、地面に向かって落ちるように、ボディ１０１の側壁に、回転可能に取り付けられている。
【００３９】
ハンドル１０７は、ボディ１０１の前側１０１ｃおよびボディ１０１の後側１０１ｄの間に位置している。ハンドル１０７は、ボディ１０１の前側１０１ｃより、ボディ１０１の後側１０１ｄにより近い、ボディ１０１の場所に位置している。いくつかの実施形態において、ハンドル１０７の位置決めは、ユーザが装置１００をバランスの良い状態で運べるようにするだけでなく、ユーザが装置１００を押したり引いたりすることによって、装置１００を操作できるようにする。これは、付属アタッチメント１１３、アクセサリ連結パッケージ１１５、または付属ハンドグリップ１１７が取り付けられた状態であってもなくても、ハンドル１０７が、装置１００の重心に実質的に揃うためである。いくつかの実施形態において、ハンドル１０７の位置決めは、ユーザが装置１００を安定した状態で運べるようにするだけでなく、ユーザが装置１００を押したり引いたりすることによって、装置１００を操作できるようにしている。なぜなら、ハンドル１０７は、ホースラック１０９に対して、ホースラック１０９のベース２０１周りに巻き付けられたアクセサリ連結パッケージまたはホースと干渉しない場所に位置しているためである。
【００４０】
付属アタッチメント１１３は、室内装飾クリーニングヘッドである。付属アタッチメント１１３は、アクセサリボディ２１５、流体出口２１７、アジテータ２１９およびノズル２２１を含む。使用において、付属アタッチメント１１３は、流体をアクセサリボディ２１５と反対の表面に排出するように構成されている。アジテータ２１９は、アクセサリボディ２１５と対向する面に対し動くように構成されている。ノズル２２１は、ボディ１０１に収容された真空モータにより与えられる吸引力により、１あるいはそれ以上の空気、流体、または屑がアクセサリボディ２１５の対向する面からノズル２２１に吸い込まれるように、アクセサリボディ２１５の対向する面に接触、または、少なくとも対向するように構成されている。真空モータにより与えられる吸引力で、空気、流体および／または屑が、ノズル２２１を通じ、付属アタッチメント１１３が取り付けられた付属ハンドグリップ１１７に吸い込まれ、そして、アクセサリ連結パッケージ１１５のホース１３１を通じ、リカバリータンク１０５に入る。
【００４１】
アジテータ２１９は、１またはそれ以上のブラシ、スピンブラシ、回転ブラシ、ブレード、またはその他の好適な構造を含む。アジテータ２１９および付属ハンドグリップ１１７と連結するように構成されたアクセサリ電気コンタクトと連結しているアジテータモータは、アクセサリボディ２１５内に収容されている。アジテータモータは、付属ハンドグリップ１１７の電気コンタクトから与えられた電気に基づいて、アジテータ２１９を動かすように構成されている。いくつかの実施形態において、アジテータモータは、ノズル２２１の方向に向かってアジテータ２１９を動かすように構成されている。いくつかの実施形態において、アジテータモータは、ノズル２２１から離れる方向にアジテータを動かすように構成されている。いくつかの実施形態において、アジテータモータは、アクセサリボディ２１５の動きの方向に基づいてノズル２２１に向かう方向に、またはノズル２２１から離れる方向にアジテータ２１９を動かすように構成されている。アジテータモータは、アジテータモータに連結されているコントローラーから受けた１またはそれ以上のインストラクション、または付属ハンドグリップ１１７によってアジテータモータに供給された電力に基づいてアジテータ２１９を動かすように構成されている。
【００４２】
図３は、いくつかの実施形態による装置１００を上右側から見た透視図である。図３において、洗浄流体タンク１０３（図１）、リカバリータンク１０５（図１）、付属アタッチメント１１３（図１）、アクセサリ連結パッケージ１１５（図１）および付属ハンドグリップ１１７（図１）は、取り外されている。
【００４３】
ボディ１０１は、リカバリータンク１０５と連結されるように構成された第一空気路３０１、および、リカバリータンク１０５と連結されるように構成された第二空気路３０３を有する。第一空気路３０１は、ボディ１０１内に収容された真空モータの入口と連結されている。いくつかの実施形態において、第一空気路３０１は、リカバリータンク１０５の対応する部分と結合するように構成された凹部を含む、ボディ１０１の側壁に区画されている。第二空気路３０３は、ボディ１０１の側壁により区画されており、アクセサリ連結パッケージ１１５等のアクセサリ連結パッケージまたはホース１３１等のホースと連結されるように構成された、ホースポートと連結されている。
【００４４】
タンク座部１２３は、リカバリータンク１０５を受けるように構成された、ボディ１０１の凹部領域である。第一空気路３０１および第二空気路３０３は、リカバリータンク１０５がタンク座部１２３にある場合に、リカバリータンク１０５に面するように構成された、ボディ１０１の側壁にある。ロック機構１２７は、リカバリータンク１０５がタンク座部１２３に有り、第一空気路３０１および第二空気路３０３がリカバリータンク１０５に連結している場合に、リカバリータンク１０５と相互に作用するように構成されたロック部材３０５と連結されている。
【００４５】
アクセサリレセプタクル３０７は、ベース２０１に有る。アクセサリレセプタクルは、電気コンタクト３０９および流体継手３１１を含む。アクセサリレセプタクル３０７、電気コンタクト３０９および流体継手３１１は、たとえば、付属アタッチメント１１３や付属ハンドグリップ１１７等の付属アタッチメントに、１またはそれ以上の電力や洗浄流体を供給するのを容易にするように構成されている。
【００４６】
いくつかの実施形態において、アクセサリレセプタクル３０７は、アクセサリレセプタクル３０７内にフィットするように構成された構造、付属アタッチメントまたは付属ハンドグリップと電気コンタクト３０９の間で電気的接続するための、対応する電気コンタクト、および流体継手３１１から付属アタッチメントまたは付属ハンドグリップへの流体の流れを促進する、流体継手３１１を結合するように構成された、対応する流体継手、を有するアクセサリコネクタを受けるように構成されている。いくつかの実施形態において、電気コンタクト３０９は、装置１００のコントローラーと連結されている。アクセサリ電気コンタクト２２３は、金属、半導体、非金属導体、またはその他の好適な導電材料を含む。
【００４７】
流体継手３１１は、ボディ１０１のボディ流体継手と連結されており、これを通じて、ボディ流体継手から流体継手３１１に延びる流体流路を経由して、流体を洗浄流体タンク１０３から受け取る。
【００４８】
アクセサリレセプタクル３０７は、ベース２０１のリカバリータンク１０５側にある。アクセサリレセプタクル３０７は、ベース２０１の洗浄流体タンク１０３側にある。いくつかの実施形態において、アクセサリレセプタクル３０７は、ボディ１０１の前側１０１ｃにある。いくつかの実施形態において、アクセサリレセプタクル３０７は、ボディ１０１の後側１０１ｄにある。いくつかの実施形態において、アクセサリレセプタクル３０７は、ボディ１０１のその他の好適な位置、またはベース２０１のその他の好適な位置にある。
【００４９】
図４は、いくつかの実施形態による装置１００を上左側から見た透視図である。図４において、洗浄流体タンク１０３（図１）、リカバリータンク１０５（図１）、付属アタッチメント１１３（図１）、ホース１３１（図１）および付属ハンドグリップ１１７（図１）は、取り外されている。
【００５０】
タンク座部１２１は、洗浄流体タンク１０３を受けるように構成された、ボディ１０１の凹部領域である。タンク座部１２１は、ボディ流体継手４０１および少なくとも１つの洗浄流体タンク位置合わせガイド４０３を含む。少なくとも１つの洗浄流体タンク位置合わせガイド４０３は、洗浄流体タンク１０３の対応形状部とかみ合うように構成されている。ボディ流体継手４０１は、タンク座部１２１の底に有る。ボディ流体継手４０１は、カップ形状のレセプタクルを含み、この中には、組み立てられた時には、洗浄流体タンク１０３の流体継手が位置されるように構成されている。
【００５１】
洗浄流体タンク位置合わせガイド４０３は、タンク座部１２１内の凹状構造である。いくつかの実施形態において、ボディ流体継手４０１は、タンク座部１２１内の凸状構造である。いくつかの実施形態において、洗浄流体タンク位置合わせガイド４０３は、タンク座部１２１内の凸状構造である。いくつかの実施形態において、タンク座部１２１は、洗浄流体タンク位置合わせガイド４０３を含んでいない。
【００５２】
いくつかの実施形態において、ボディ流体継手４０１は、洗浄流体タンク１０３内に含有される洗浄流体を洗浄流体タンク１０３から流出させる、ピン４０５、または、洗浄流体タンク１０３の一部とかみ合うように構成された、その他の好適な構造を含む。
【００５３】
第三空気路４０９は、ベース２０１の洗浄流体タンク１０３側にある。第三空気路４０９は、第二空気路３０３（図３）と連結している。いくつかの実施形態において、第三空気路４０９は、ボディ１０１の前側１０１ｃにある。いくつかの実施形態において、第三空気路４０９は、ボディ１０１の後側１０１ｄにある。いくつかの実施形態において、第三空気路４０９は、ボディ１０１上のその他の好適な位置にあるか、ベース２０１にある。いくつかの実施形態において、第三空気路４０９は、アクセサリレセプタクル３０７とは反対側の、ベース２０１の側にある。
【００５４】
第三空気路４０９は、アクセサリ連結パッケージ１１５の、ホース１３１等のホースと連結されるように構成されている。いくつかの実施形態において、アクセサリレセプタクル３０７に対する第三空気路４０９の位置は、ユーザが、ホースまたは電力供給ラインおよび／または流体供給ラインからの干渉無しに、ホースを第三空気路４０９に、そして付属アタッチメントパッケージ１１５の電力供給ライン１３５や流体供給ライン１３３等の電力供給ラインや流体供給ラインを、アクセサリレセプタクルと接続できるようにしている。
【００５５】
図５は、いくつかの実施形態による装置１００を下背面側から見た透視図である。図５において、洗浄流体タンク１０３（図１）、リカバリータンク１０５（図１）、付属アタッチメント１１３（図１）、ホース１３１（図１）および付属ハンドグリップ１１７（図１）は、取り外されている。ホルスター２０９は、ホルスター２０９の底にドレンホール５０１を含む。
【００５６】
ボディ１０１の底側１０１ｂは、ボディ１０１内に収容された真空モータの出口と連結された第四空気路５０３を有する。第四空気路５０３は、真空モータにより排出された空気をボディ１０１下の面に吹き付けるように構成されている。いくつかの実施形態において、第四空気路５０３は、ボディ１０１の底側１０１ｂの複数のスロット、および、真空モータにより排出された空気が特定の方向に、ボディ１０１下の面に向かって第四空気路５０３から流出するように、または、第四空気路５０３から、ボディ１０１下の面の乾燥効果を高めるように空気の乱流を起こすように構成されたデバイダにより区画されている。いくつかの実施形態において、ボディ１０１は、ボディ１０１内部のキャビティに連結する、キャビティ孔５０５を含む。キャビティ孔５０５は、ボディ１０１内部のキャビティからボディ１０１下の面に向かって放熱するように構成されている。
【００５７】
ボディ１０１の底側１０１ｂには、接触パッド５０７が含まれている。接触パッド５０７は、少なくとも１つのホイール１１９と接触している面上の、ボディ１０１の底側１０１ｂの少なくとも一部をサポートするように構成されている。接触パッド５０７は、ボディ１０１の底側１０１ｂから外側に突出する、定常構造を含む。いくつかの実施形態において、接触パッド５０７は、１またはそれ以上の、ホイール１１９のような、ホイールに代替される。いくつかの実施形態において、接触パッド５０７は、１またはそれ以上の、ホイール１１９とは異なるホイール、ローラーボール、またはその他の好適な構造に代替される。
【００５８】
ホイール１１９は、ボディ１０１と回転可能に連結されている。ホイール１１９は、少なくとも１つのホイール１１９と接触している面上の、ボディ１０１の底側１０１ｂの少なくとも一部をサポートするように構成されている。ホイール１１９のそれぞれは、各ホイール１１９が対応する回転軸が回転しないように、独立してボディ１０１に連結されている。いくつかの実施形態において、ホイール１１９は、対応する車軸５０９およびピンファスナー５１１により、独立してボディ１０１に連結されている。いくつかの実施形態において、ホイール１１９は、ボディ１０１左側１０１ｅからボディ１０１の右側１０１ｆに延びる、それぞれ単一の車軸に取り付けられている。いくつかの実施形態において、単一車軸に取り付けられている場合、各ホイール１１９は、単一車軸の周りを独立して回転するように構成されている。
【００５９】
ボディ１０１の底側１０１ｂは、ボディ１０１内部のキャビティに容易にアクセスできるように構成された、少なくとも１つのアクセスパネル５１３を含む。いくつかの実施形態において、アクセスパネル５１３は、第一空気路３０１を、ボディ１０１内の真空モータ入口に連結する、ボディ１０１内のチャネルの一部を区画する。アクセスパネル５１３は、ユーザが、装置１００の保守のために、モータ、ボディ１０１内のチャネル、またはボディ１０１内に収容された１またはそれ以上のその他のコンポーネントにアクセスできるように構成されている。
【００６０】
図６は、いくつかの実施形態による装置１００を上右側から見た透視図である。図６において、洗浄流体タンク１０３、リカバリータンク１０５、前側１０１ｂ、左側１０１ｅ、右側１０１ｆを区画する、ボディ１０１のパネル、およびボディ１０１のタンク座部１２１および１２３は、取り外されている。
【００６１】
コントローラー６０１は、ボディ１０１内部に収容されている。いくつかの実施形態において、コントローラー６０１は、ボディ１０１から独立している。いくつかの実施形態において、１またはそれ以上の入口および出口を有する真空モータ６０３、または流体ポンプ６０５は、ボディ１０１のキャビティ上にあるか、または内に収容されている、またはその両方である。
【００６２】
ハンドルサポートブラケット６０７は、ボディ１０１の後側１０１ｄのパネル６０９に取り付けられている。ハンドルサポートブラケット６０７は、スリーブ６１１を固定するように構成されており、これによって、ハンドル１０７が折り畳まれた位置から延ばされた位置へと、またはその反対に移動する時にハンドル１０７のネック６１３がスライドする。スリーブ６１１は、ハンドル１０７を折り畳まれた位置に保持する、１またはそれ以上のロック部材６１５と相互に作用するように構成されている。リリース機構１２９は、ハンドル１０７をロックされた状態からリリースし、ハンドル１０７を折り畳まれた位置から延ばされた位置に動かすようにする、１またはそれ以上のロック部材６１５と連結されている。たとえば、リリース機構１２９が作動すると、ハンドル１０７が折り畳まれた位置から延ばされた位置に移動できるように、ネック６１３がスリーブ６１１にスライドするように、１またはそれ以上のロック部材６１５がネック６１３内側に入るように動く。いくつかの実施形態において、ロック部材６１５は、止めロック、ピン、または、ネック６１３の側壁に、スロットから外側に突出する、ハンドル１０７を折り畳まれた位置にロックするための、スリーブ６１１との相互作用を容易にするように構成された、その他の好適な構造を含む。
【００６３】
ハンドル１０７は、グリップ部分６１７を含む。いくつかの実施形態において、グリップ部分６１７は、左ききの人でも右ききの人でも装置１００を容易に運転、持ち上げおよび／または押し／引きできるように、実質的にリング形状を有する。グリップ部分６１７は、ハンドル１０７のネック６１３に対し実質的に中央に位置している。いくつかの実施形態において、グリップ部分６１７は、楕円、円形、四角、矩形、五角形、六角、八角、またはその他の好適な形状を有する。
【００６４】
コントローラー６０１は、プロセッサおよびメモリ（たとえば、プロセッサに基づいたシステム１８００、図１８）を有するチップセットを含む。コントローラー６０１は、１またはそれ以上の、真空モータ６０３または流体ポンプ６０５と連結されている。いくつかの実施形態において、コントローラー６０１に含まれるメモリは、コントローラー６０１のプロセッサにより実行された場合に真空モータ６０３がＯＮまたはＯＦＦされる、そこに格納された、コンピューターが実行可能なインストラクションを有する。デフォルトの運転状態では、真空モータ６０３は、真空モータ６０３の入口に空気を吸い込み、真空モータ６０３の出口から空気を排出するように構成されている。いくつかの実施形態において、コントローラー６０１は、真空モータ６０３が空気を真空モータ６０３の出口に吸い込み、真空モータ６０３の入口から空気を排出するように、真空モータ６０３が反対に駆動するように構成されている。
【００６５】
いくつかの実施形態において、ボディ１０１は、コントローラー６０１と連結されたヘッドライト６１９を含む。ボディ１０１がヘッドライト６１９を含む場合、コントローラー６０１は、システム電力スイッチ、ライトコントロールスイッチ、流体リリース、またはその他の好適なスイッチが作動されることによって、または、コントローラー６０１または真空モータ６０３、またはその他の好適なボディ１０１のコンポーネントのうち、１またはそれ以上がＯＮされることに基づいて、ヘッドライト６１９をＯＮまたはＯＦＦにするように構成されている。
【００６６】
図７は、いくつかの実施形態による、洗浄流体タンク７０３の透視図である。洗浄流体タンク７０３は、装置１００（図１）の洗浄流体タンク１０３（図１）として使用できる。洗浄流体タンク７０３は、洗浄流体を収容するように構成された容器７０５、タンク流体継手７０７、容器入口７１１、容器出口７１３、キャップ７１５、ハンドル７１７、および、１またはそれ以上のタンク位置合わせサポート７１９を含む。
【００６７】
容器７０５は、その中のキャビティを区画する、１またはそれ以上の側壁を含む。容器７０５は、液体、固体、水、洗剤、ガス、またはそれらの組み合わせのうち、１またはそれ以上を含む、洗浄流体を特定の量保持するように構成されている。容器７０５の、１またはそれ以上の側壁は、ポリマー、金属、ガラス、複合材料、または特定の量の洗浄流体を保持できるその他の好適な材料のうち、１またはそれ以上を含む。いくつかの実施形態において、容器７０５の１またはそれ以上の側壁のうち、少なくとも１つの側壁は、透明材料を含む。いくつかの実施形態において、容器７０５の１またはそれ以上の側壁のうち、少なくとも１つの側壁は、不透明材料を含む。いくつかの実施形態において、容器７０５の１またはそれ以上の側壁のうち、少なくとも１つの側壁は、半透明材料を含む。この半透明材料は、何らかの光を容器７０５に通すことにより、そこに収容された洗浄流体の量が、容器７０５の外側から見えるようにして、目につく範囲から廃物を容器７０５内に隠すことができる。
【００６８】
タンク流体継手７０７は、ボディ１０１のボディ流体継手４０１（図４）等の、ボディ１０１のボディ流体継手（図１）、またはその他の好適なコネクタと連結されるように構成されている。タンク流体継手７０７は、容器出口７１３からボディ１０１のボディ流体継手へと、洗浄流体タンク７０３からの洗浄流体の流れを容易にするように、ボディ１０１のタンク流体継手とかみ合うように構成されている。いくつかの実施形態において、タンク流体継手７０７は、ボディ１０１のボディ流体継手に挿入されるように構成されている。タンク流体継手７０７は、容器７０５の下側にある。いくつかの実施形態において、タンク流体継手７０７は、容器７０５の下側から離れるように延びる。洗浄流体タンク７０３は、容器７０５下側に、１またはそれ以上のタンク位置合わせサポート７１９を含む。いくつかの実施形態において、１またはそれ以上のタンク位置合わせサポート７１９は、タンク流体継手７０７が容器７０５内の参照位置から離れる方向に延びる距離と実質的に同じである、容器７０５内の参照位置から離れる距離に、延びるように構成されている。いくつかの実施形態において、１またはそれ以上のタンク位置合わせサポート７１９は、タンク流体継手７０７が容器７０５の下側から離れるように延びる場合に、洗浄流体タンク７０３がひっくり返らないように構成されている。いくつかの実施形態において、１またはそれ以上のタンク位置合わせサポート７１９は、ボディ１０１の洗浄流体タンク位置合わせガイド４０３等の（図４）、ボディ１０１の洗浄流体タンク位置合わせガイドとかみ合うように構成されている。
【００６９】
キャップ７１５は、容器入口７１１を閉じるように構成されている。キャップ７１５は、空気孔７２１を有する。いくつかの実施形態において、容器７０５は、容器７０５の上部に空気孔７２１を有する。いくつかの実施形態において、洗浄流体タンク７０３は、容器７０５の下一部から容器７０５の上部に延びるストローまたは管を有していない。
【００７０】
いくつかの実施形態において、キャップ７１５は、キャップ７１５が容器入口７１１を閉じている場合に容器入口７１１および容器７０５内にフィットするように構成された、メジャーカップ部分７２３を含む。メジャーカップ部分７２３は、メジャーカップ部分７２３の周り、および空気孔７２１を通じて空気が容器７０５に流れ込むように、あるいは流れ出るように構成されたギャップにより、キャップ７１５の内側面から分離されている。メジャーカップ部分７２３およびキャップ７１５の内側面の間のギャップにより、流体が空気孔７２１から漏れ出ること無しに、メジャーカップ部分７２３が一定量の流体を保持できる。
【００７１】
タンク流体継手７０７は、タンク流体継手７０７がボディ１０１のボディ流体継手に連結されない限りは洗浄流体が容器７０５から流れ出ないように構成されている。たとえば、タンク流体継手７０７がボディ１０１のボディ流体継手４０１に連結された場合、ピン４０５（図４）がタンク流体継手７０７に挿入される。タンク流体継手７０７は、ピン４０５が挿入されたら開くように構成されているバルブを含む。いくつかの実施形態において、タンク流体継手７０７は、ボディ１０１のボディ流体継手に接続されたら開くことができる、異なる好適なタイプのバルブまたはシールを含む。
【００７２】
いくつかの実施形態において、空気孔７２１は、ピンサイズの直径を有する。ピンサイズの直径とは、タンク流体継手７０７が開かれていない限りは、流体が容器７０５から流出しないぐらいに十分小さい。
【００７３】
いくつかの実施形態において、洗浄流体タンク７０３は、洗浄流体タンク７０３がタンク座部１２１に着脱可能に安定させられるように、ボディ１０１のロック機構４０７等の（図４）対応するロック機構に連結するように構成された、洗浄タンクロック部材７２５を含む。
【００７４】
図８は、いくつかの実施形態による、リカバリータンク８０５の透視図である。リカバリータンク８０５は、装置１００（図１）のリカバリータンク１０５（図１）として使用できる。リカバリータンク８０５は、液体、固体、ガス、または洗浄流体タンク１０３（図１）から出力された洗浄流体の一部のうち、１またはそれ以上を含む化合物を収容するように構成されたリカバリータンク容器８０７を含む。リカバリータンク８０５は、ボディ１０１の第一空気路３０１（図３）等の、ボディ１０１の空気路と連結されるように構成された、第一タンク空気路８０９、および、ボディ１０１の第二空気路３０３等の、ボディ１０１のその他の空気路と連結されるように構成された第二リカバリータンク空気路８１１を含む。
【００７５】
リカバリータンク容器８０７は、そこに含まれるキャビティを区画する、１またはそれ以上の側壁を含む。リカバリータンク容器８０７は、液体、固体、ガス、または洗浄流体の一部のうち、１またはそれ以上を含む化合物を、特定量保持するように構成されている。リカバリータンク容器８０７の１またはそれ以上の側壁は、ポリマー、金属、ガラス、複合材料、または、液体、固体、ガス、または洗浄流体の一部のうち、１またはそれ以上をを含む化合物を特定量保持することができるその他の好適な材料のうち、１またはそれ以上を含む。いくつかの実施形態において、リカバリータンク容器８０７の１のまたはそれ以上の側壁のうち、少なくとも１つの側壁は、透明材料を含む。いくつかの実施形態において、リカバリータンク容器８０７の１またはそれ以上の側壁のうちの少なくとも１つの側壁は、不透明材料を含む。いくつかの実施形態において、リカバリータンク容器８０７の１またはそれ以上の側壁のうち、少なくとも１つの側壁は、半透明材料を含む。この半透明材料は、リカバリータンク容器８０７に何らかの光を通すことにより、リカバリータンク容器８０７の外側からそこに収容された化合物の量が見えるようにして、目につく範囲から廃物をリカバリータンク容器８０７内に隠すことができる。
【００７６】
いくつかの実施形態において、分流加減器８１３は、リカバリータンク容器８０７の内部にある。分流加減器８１３は、第二リカバリータンク空気路８１１を経由して、液体、固体、ガス、または、リカバリータンク容器８０７に吸い込まれた流体の一部の流れ方向を変更するように構成されている。いくつかの実施形態において、分流加減器８１３は、液体、固体、ガスまたは、リカバリータンク容器８０７に吸い込まれた流体の一部がリカバリータンク容器８０７の内部の中央部からそらされるように湾曲している。いくつかの実施形態において、分流加減器８１３は、液体、固体、ガス、または、リカバリータンク容器８０７に吸い込まれた流体の一部をリカバリータンク容器８０７の内部の中央部からそらすように構成された、その他の好適な形状を有する。いくつかの実施形態において、分流加減器８１３は、液体、固体、ガス、または、流体の一部がリカバリータンク容器８０７に吸い込まれる時に、リカバリータンク容器８０７の内部の中央部から流れを方向付けることにより、リカバリータンク容器８０７内部で泡が発生しないように、または発生された泡の量を減らすように構成されている。いくつかの実施形態において、分流加減器８１３は、リカバリータンク容器８０７内部で発生した泡を壊す乱流を起こすことによって、液体、固体、ガス、または、流体の一部がリカバリータンク容器８０７に吸い込まれる時に、リカバリータンク容器８０７の内部で泡が発生しないように、または発生した泡の量を減らすように構成されている。
【００７７】
分流加減器８１３は、剛体構造を含む。いくつかの実施形態において、分流加減器８１３は、リカバリータンク容器８０７の内部に着脱可能に取り付けられている。いくつかの実施形態において、分流加減器８１３は、リカバリータンク容器８０７の外部に着脱可能に取り付けられている。いくつかの実施形態において、分流加減器８１３は、流れの方向、または、起こされた乱流の度合いを調節するように、１またはそれ以上の位置に操作されるように構成された、柔軟性があり、または移動可能な構造である。いくつかの実施形態において、分流加減器８１３は、リカバリータンク容器８０７の内部に固定されている。いくつかの実施形態において、分流加減器８１３は、リカバリータンク容器８０７の外部に固定されている。
【００７８】
いくつかの実施形態において、リカバリータンク８０５は、リカバリータンク容器８０７にストッパ８１５を含む。ストッパ８１５は、少なくとも部分的に、液体、固体、ガスまたはリカバリータンク容器８０７に収容された流体化合物の一部の量に基づいて、第一タンク空気路８０９を、少なくとも実質的にシールするように構成されている。いくつかの実施形態において、ストッパ８１５は、少なくとも部分的に、液体、固体、ガスまたは、リカバリータンク容器８０７に収容された流体化合物の一部の量に基づいて、第一タンク空気路８０９に向かって上昇するように構成されている浮遊デバイスを含む。いくつかの実施形態において、ストッパ８１５は、球形であり、リカバリータンク容器８０７に収容された化合物の深度、または真空モータ６０３（図６）等の真空モータによる、第一タンク空気路８０９からの空気の吸引のうち、１またはそれ以上に基づいて、第一タンク空気路８０９を実質的にシールするように構成されている。
【００７９】
いくつかの実施形態において、ストッパ８１５は、リカバリータンク容器８０７に収容された化合物の深度、または、ボディ１０１の真空モータにより、第一タンク空気路８０９からの空気の吸引、のうち、１またはそれ以上に基づいて、第一タンク空気路８０９を実質的にシールするように構成された少なくとも１つのプラグを含む。いくつかの実施形態において、コントローラー６０１（図６）等の、ボディ１０１のコントローラーは、ストッパ８１５が第一タンク空気路８０９を実質的にシールする位置にあることの判定に基づいて、リカバリータンクが満タンであることを判定するように構成されている。いくつかの実施形態において、ボディ１０１のコントローラーは、吸引の消失または真空モータ６０３の負荷に基づいて、ストッパ８１５が第一タンク空気路８０９を実質的にシールする位置にあることを判定するように構成されている。いくつかの実施形態において、ボディ１０１のコントローラーは、ボディ１０１の真空モータをＯＦＦにする、またはリカバリータンク８０５が満タンであることを示す警告を出力するように構成されている。
【００８０】
いくつかの実施形態において、リカバリータンク８０５は、ストッパ８１５がケージ８１７の内部および第一タンク空気路８０９間を自由に移動できるように構成されたケージ８１７を含む。いくつかの実施形態において、ケージ８１７はリカバリータンク容器８０７の内部に着脱可能に取り付けられており、リカバリータンク容器８０７内に収容されるように構成されている。いくつかの実施形態において、ケージ８１７は、リカバリータンク容器８０７内部に固定されている。いくつかの実施形態において、ケージ８１７は、リカバリータンク容器８０７の外部に着脱可能に取り付けられており、リカバリータンク容器８０７内に収容されるように構成されている。いくつかの実施形態において、ケージ８１７は、リカバリータンク容器８０７の外部に固定されており、リカバリータンク容器８０７内に収容されている。
【００８１】
いくつかの実施形態において、リカバリータンク８０５は、リカバリータンク８０５の、１またはそれ以上の側壁により区画されたドレン開口部８２１を少なくとも部分的に閉じるように構成されたリカバリータンクキャップ８１９を含む。いくつかの実施形態において、ケージ８１７は、リカバリータンクキャップ８１９がドレン開口部８２１を閉じるように取り付けられている場合、リカバリータンクキャップ８１９に着脱可能に取り付けられるように、そしてリカバリータンク容器８０７内に収容されるように構成されている。いくつかの実施形態において、ケージ８１７は、リカバリータンクキャップ８１９がドレン開口部８２１を閉じるように取り付けられている場合、リカバリータンクキャップ８１９に固定されて、リカバリータンク容器８０７内に収容されている。
【００８２】
いくつかの実施形態において、ベース部材８２３は、リカバリータンク容器８０７内の凹み、すなわち、ドレン開口部８２１を囲むそこに取り付けられたパネル内に収容されている。リカバリータンクキャップ８１９は、ベース部材８２３がドレン開口部８２１を閉じるように、ケージ８１７を凹みに保持するように、リカバリータンク容器８０７またはそこに取り付けられたパネルに固定されるように構成されている。いくつかの実施形態において、リカバリータンクキャップ８１９は、ボディ１０１の第一タンク空気路８０９および第一空気路３０１の間の連結を容易にするように構成された開口部を有する鍔である。
【００８３】
いくつかの実施形態において、リカバリータンクキャップ８１９は、リカバリータンク容器８０７から離れるように延び、ドレン開口部８２１の周りのねじ切りされた突出部にねじ締めされるように構成された、鍔である。ベース部材８２３は、第一タンク空気路８０９からリカバリータンク容器８０７の外部に延びる内部空気路を有するフランジである。ベース部材８２３は、リカバリータンク容器８０７に延び、ケージ８１７がその端部にある。ベース部材８２３およびケージ８１７は、リカバリータンクキャップ８１９がねじ切りされた突出部から取り外された場合に、リカバリータンク容器８０７中から移動可能に構成されており、また、リカバリータンクキャップ８１９がねじ切りされた突出部にねじ締めされている時に、ベース部材８２３がリカバリータンクキャップ８１９およびねじ切りされた突出部の間にある場合は、リカバリータンクキャップ８１９およびねじ切りされた突出部の間で安定するように構成されている。ベース部材８２３の内部空気路は、リカバリータンク８０５がタンク座部１２３にある場合に、第一タンク空気路８０９がボディ１０１の第一空気路３０１に連結されることができるように、リカバリータンクキャップ８１９から露出している。
【００８４】
いくつかの実施形態において、リカバリータンク８０５は、ハンドル８２７を含む。いくつかの実施形態において、リカバリータンク容器８０７はハンドル８２７と一体的に形成されている。いくつかの実施形態において、ハンドル８２７は、リカバリータンク容器８０７に取り付けられている。
【００８５】
いくつかの実施形態において、リカバリータンク８０５は、リカバリータンク８０５をタンク座部１２３でボディ１０１に着脱可能に固定させるように、ボディ１０１の、対応するロック機構と連結するように構成された、リカバリータンクロック部材８２９を含む。いくつかの実施形態において、リカバリータンクキャップ８１９は、リカバリータンク８０５の第一空気路３０１周りの凹んだ領域とかみ合うように構成されており、これにより、タンク座部１２３に固定される。
【００８６】
図９は、いくつかの実施形態による、延ばされた位置にあるハンドル１０７の透視図である。ハンドル１０７のネック６１３は、スリーブ６１１から引っ張り出されている。いくつかの実施形態において、ネック６１３の底端部は、ハンドル１０７が折り畳まれた位置から延ばされた位置に動く時に、ネック６１３の底端部がスリーブ６１１上部に引っ張り出される場合に、ネック６１３が延ばされた位置にロックされるように、リリース機構１２９と連結されている。
【００８７】
ハンドルサポートブラケット６０７は、ボディ１０１の後側１０１ｄ（図６）のパネル６０９（図６）に取り付けられるように、そして、スリーブ６１１がボディ１０１内に固定されるように構成されている。スリーブ６１１は、リリース機構１２９が作動され、ハンドル１０７を折り畳まれた位置にロックするためにスリーブ６１１に押し込まれた場合、ハンドル１０７のネック６１３を受けるように構成されている。
【００８８】
図１０は、いくつかの実施形態によるアクセサリレセプタクル３０７の透視図である。アクセサリレセプタクル３０７は、電気コンタクト３０９および流体継手３１１を含む。アクセサリレセプタクル３０７は、付属アタッチメント１１３等の付属アタッチメント（図１）、または、付属ハンドグリップ１１７等の付属ハンドグリップ（図１）に、１またはそれ以上の電力または洗浄流体を与えるのを容易にするように構成されている。
【００８９】
いくつかの実施形態において、アクセサリレセプタクル３０７は、アクセサリコネクタを受けるように構成されており、アクセサリコネクタは、アクセサリレセプタクル３０７内にフィットするように構成された構造を有し、付属アタッチメントまたは付属ハンドグリップと電気コンタクト３０９との間に電気的接続をもたらす、対応する電気コンタクトを有し、洗浄流体タンク１０３から付属アタッチメントへの流体の流れを容易にするように、流体継手３１１とかみ合うように構成された、対応する流体継手とを有する。
【００９０】
いくつかの実施形態において、アクセサリレセプタクル３０７の内部は、アクセサリをアクセサリレセプタクル３０７内の取り付け位置に受けた時に、電気的接続を確立し、流体の流れを促進するために、電気コンタクト３０９および流体継手３１１が同時に、対応する電気コンタクトおよび対応するアクセサリコネクタの流体継手と安定したコネクションを確立することができるように、段階的表面を有する。いくつかの実施形態において、流体継手３１１は、洗浄流体タンク１０３をアクセサリコネクタに流体的に連結するための、対応する流体コネクタに含まれる乳頭状接管を受けるように構成されている。
【００９１】
図１１は、いくつかの実施形態によるアクセサリコネクタ１１０１の透視図である。アクセサリコネクタ１１０１は、アクセサリレセプタクル３０７（図３）等のアクセサリレセプタクルとかみ合うように構成されたアクセサリコネクタボディ１１０３、流体継手３１１（図１０）と連結されるように構成された流体供給継手１１０５、および電気コンタクト３０９（図１０）と連結されるように構成された電力供給継手１１０７を含む。
【００９２】
アクセサリコネクタ１１０１はまた、流体供給継手１１０７と、電力供給出力１１１１とを含む。流体供給継手１１０７は、アクセサリ連結パッケージ１１５（図１）の流体供給ライン１３３等の、流体供給継手１１０５を付属ハンドグリップ１１７等の付属ハンドグリップまたは付属アタッチメント１１３等の付属アタッチメントに流体的に連結する、流体供給ラインと連結されるように構成される。電力供給出力１１１１は、供給継手１１０７に電力を与えるアクセサリ連結パッケージ１１５の電力供給ライン１３５等の電力供給ラインを、付属ハンドグリップ１１７等の付属ハンドグリップ、または、付属アタッチメント１１３等の付属アタッチメントと連結されるように構成されている。
【００９３】
使用において、アクセサリコネクタ１１０１は、流体供給継手１１０５と流体継手３１１、および、電力供給継手１１０７と電気コンタクト３０９の両方を１つの接続工程で可能にするように、アクセサリレセプタクル３０７に一回で挿入されるように構成されている。いくつかの実施形態において、アクセサリコネクタボディ１１０３は、少なくとも部分的にアクセサリレセプタクル３０７内に収容されている。いくつかの実施形態において、アクセサリコネクタボディは、摩擦および圧入によってアクセサリレセプタクルに、固定されている。いくつかの実施形態において、アクセサリコネクタボディ１１０３は、コネクタロック１１１３によって、アクセサリレセプタクル３０７に固定されている。コネクタロック１１１３は、アクセサリコネクタボディ１１０３をアクセサリレセプタクル３０７内に保持するように、そして、コネクタロック１１１３が作動している場合はアクセサリコネクタボディ１１０３をアクセサリレセプタクル３０７からリリースするように構成されている。いくつかの実施形態において、コネクタロック１１１３は、アクセサリコネクタボディ１１０３の柔軟部、あるいは、アクセサリコネクタボディ１１０３をアクセサリレセプタクル３０７にリリース可能に保持するその他の好適な構造を含む。
【００９４】
いくつかの実施形態において、流体供給継手１１０５は、ニップル、シャフト、ジェット、管、またはその他の好適な、アクセサリコネクタ１１０１をボディ１０１に流体的に結合するための、流体継手３１１とかみ合うように構成された構造を含む。いくつかの実施形態において、流体供給継手１１０５は、外面の周りに、流体供給継手１１０５と流体継手３１１の間に流体封止を促進するＯリングを含む。いくつかの実施形態において、流体供給継手１１０５は、外面の周りに、流体供給継手１１０５と流体継手３１１の間の流体封止を促進する、ダブルＯリングを含む。
【００９５】
図１２は、いくつかの実施形態による、付属ハンドグリップ１１７の透視図である。付属ハンドグリップ１１７は、第一端部１２０９、および、第一端部１２０９とは反対側の、第二端部１２１１を含む。ハンドル流体入口１２１３は、付属ハンドグリップ１１７の第一端部１２０９にあり、ハンドル流体出口１２１５は、付属ハンドグリップ１１７の第二端部１２１１にある。ハンドル流体出口１２１５は、管、ホース、チャネル、またはその他の好適な構造によって、ハンドル流体入口１２１３と連結されている。管、ホース、チャネル、またはその他の好適な構造は、付属ハンドグリップ１１７内部にある。いくつかの実施形態において、管、ホース、チャネル、またはその他の好適な構造は、付属ハンドグリップ１１７外部にある。
【００９６】
第一ハンドル電気コンタクト１２１７は、付属ハンドグリップ１１７の第一端部１２０９にあり、第二ハンドル電気コンタクト１２１９は、付属ハンドグリップ１１７の第二端部１２１１にある。第二ハンドル電気コンタクト１２１９は、第一ハンドル電気コンタクト１２１７と第二ハンドル電気コンタクト１２１９の間の導電性材料によって、第一ハンドル電気コンタクト１２１７と連結されている。導電性材料は、付属ハンドグリップ１１７内部にある。いくつかの実施形態において、導電性材料は、付属ハンドグリップ１１７外部にある。いくつかの実施形態において、導電性材料は、１またはそれ以上のワイヤを含む。
【００９７】
グリップ部分１２２０は、付属ハンドグリップ１１７の第一端部１２０９および第二端部１２１１の間にある。第一ハンドル空気路１２２１は、付属ハンドグリップ１１７の第一端部１２０９にあり、第二ハンドル空気路１２２３は、付属ハンドグリップ１１７の第二端部１２１１にある。第一ハンドル空気路１２２１は、第二ハンドル空気路１２２３と連結されている。いくつかの実施形態において、第一ハンドル空気路１２２１は、管、シャフト、ホース、チャネル、またはその他の付属ハンドグリップ１１７内部の好適な構造によって、第二ハンドル空気路１２２３と連結されている。いくつかの実施形態において、管、シャフト、ホース、チャネル、またはその他の好適な構造は、グリップ部分１２２０の内部にある。いくつかの実施形態において、管またはチャネルは、少なくとも部分的に、１またはそれ以上のグリップ部分１２２０の内壁により区画される。いくつかの実施形態において、第一ハンドル空気路１２２１は、管、シャフト、ホース、チャネル、または付属ハンドグリップ１１７外部のその他の好適な構造によって、第二ハンドル空気路１２２３と連結されている。
【００９８】
トリガー１２２４は、付属ハンドグリップ１１７の第一端部１２０９および第二端部１２１１の間にある。トリガー１２２４は、流体がハンドル流体入口１２１３からハンドル流体出口１２１５に流れるように構成されている。いくつかの実施形態において、トリガー１２２４は、トリガー１２２４が作動していたら開位置、トリガー１２２４がリリースされていたら閉位置にあるように構成されたバルブを含む。いくつかの実施形態において、トリガー１２２４は、トリガー１２２４が作動していたら開位置、トリガー１２２４がリリースされていたら閉位置にあるように構成されたバルブと連結されている。いくつかの実施形態において、トリガー１２２４は機械的リンケージによりバルブと連結されている。いくつかの実施形態において、トリガー１２２４は、バルブと接続されており、トリガー１２２４が作動すると電気信号がバルブに伝達され、連結されたバルブが開位置または閉位置になる。
【００９９】
いくつかの実施形態において、付属ハンドグリップ１１７は、付属ハンドグリップ１１７の第一端部１２０９と付属ハンドグリップ１１７の第二端部１２１１の間にグリップガード１２２５を含む。グリップガード１２２５は、グリップ部分１２２０から分離されている。ハンドル流体入口１２１３は、グリップガード１２２５によって、ハンドル流体出口１２１５と連結されている。いくつかの実施形態において、ハンドル流体出口１２１５はグリップガード１２２５によって、ハンドル流体入口１２１３と連結されている。いくつかの実施形態において、ハンドル流体出口１２１５をハンドル流体入口１２１３に連結する管、ホース、チャネル、またはその他の好適な構造は、グリップガード１２２５の中にある。いくつかの実施形態において、流体が流れるチャネルは、少なくとも部分的に、グリップガード１２２５の１またはそれ以上の内壁により区画される。
【０１００】
グリップ部分１２２０は、外径および内径を有する。グリップ部分１２２０の内壁は、第一ハンドル空気路１２２１と第二ハンドル空気路１２２３を連結するチャネルの少なくとも一部を区画する。いくつかの実施形態において、グリップ部分１２２０の内径は、ホース１３１（図１）の内径と同じである。グリップ部分１２２０の内径がホース１３１の内径と同じであると、たとえば、グリップ部分１２２０の内部でホース、管、シャフトまたはパイプ無しに、第一ハンドル空気路１２２１から第二ハンドル空気路１２２３へ、そしてホース１３１への空気および／または流体の流れを容易にしている。グリップ部分１２２０内部でホース、管、シャフトまたはパイプを排除することにより、グリップ部分１２２０の外径が最小化できる。最小化された外径を有するグリップ部分１２２０は、装置１００（図１）を快適に、効果的に操作するのに必要な以上に大きいグリップ部分である場合に比較して、小さい手のユーザが、たとえば、快適に効果的に操作することができる。いくつかの実施形態において、グリップ部分１２２０の外径は、ホース１３１の外径と同じである。
【０１０１】
ホースコネクタ１２２７は、付属ハンドグリップ１１７の第一端部１２０９に取り付けられており、ホース１３１等のホースの周りに、第一ハンドル空気路１２２１と連結されるように構成されている。ホースコネクタ１２２７は、付属ハンドグリップ１１７に連結されたホース端部をサポートするように構成されており、これは、ホース１３１、または、第一ハンドル空気路１２２１と取り付けられたホース１３１の間の継手への応力を最小限にするためである。応力は、付属ハンドグリップ１１７の、取り付けられたホース１３１に対する動き、または、取り付けられたホース１３１の付属ハンドグリップ１１７の動きによって起こる。
【０１０２】
図１３は、いくつかの実施形態による付属アタッチメントパッケージ１１５の透視図である。いくつかの実施形態において、付属アタッチメントパッケージ１１５は、付属ハンドグリップ１１７等の付属ハンドグリップ（図１２）を含む。付属アタッチメントパッケージ１１５は、第一ハンドル空気路１２２１（図１２）と連結されるように構成されたホース１３１と、ハンドル流体入口１２１３（図１２）と連結されるように構成された流体供給ライン１３３と、第一ハンドル電気コンタクト１２１７（図１２）と連結されるように構成された電力供給ライン１３５と、ホース１３１およびアクセサリコネクタ１１０１に連結された吸引ポート継手１３０５を有するエキストラクションシステム結合器１３０３とを含む。アクセサリコネクタ１１０１の流体供給継手１１０５は、流体供給ライン１３３と連結されており、アクセサリコネクタ１１０１の電力供給継手１１０７は、電力供給ライン１３５と連結されている。
【０１０３】
吸引ポート継手１３０５は、空気または流体のうち、１またはそれ以上を、ホース１３１を通じて、リカバリータンク１０５（図１）に吸引するのを容易にするように第三空気路４０９（図４）と結合するように構成されている。アクセサリコネクタ１１０１は、ボディ１０１（図１）から電力供給ライン１３５への電気の伝達、および、ボディ１０１から付属ハンドグリップ１１７および／または付属アタッチメント１１３等の付属アタッチメント（図１）への洗浄流体の移動を容易にするように構成されている。流体供給継手１１０５および電力供給継手１１０７は、吸引ポート継手１３０５とは分離されているアクセサリコネクタボディ１１０３に含まれている。
【０１０４】
流体供給ライン１３３および電力供給ライン１３５は、複数のクラスプ１３０９により、ホース１３１の外面１３０７に留められている。各クラスプ１３０９は、ホース１３１、流体供給ライン１３３および電力供給ライン１３５の周りを包むように構成されている。いくつかの実施形態において、１またはそれ以上のクラスプ１３０９は、流体供給ライン１３３および電力供給ライン１３５が、それぞれ対応するライン座部およびホース１３１の外面１３０７の間にあるように、対応するライン座部の流体供給ライン１３３および電力供給ライン１３５に収容するように構成されている。いくつかの実施形態において、流体供給ライン１３３および電力供給ライン１３５は、流体供給ライン１３３および電力供給ライン１３５をホース１３１に留める、または、流体供給ライン１３３および電力供給ライン１３５を外部影響、または、からまることから保護する、さやによってカバーされている。
【０１０５】
図１４は、いくつかの実施形態による付属アタッチメント１１３の透視図である。付属アタッチメント１１３は、付属ハンドグリップ１１７（図１）等の付属ハンドグリップと連結されるように構成されているクリーニングヘッドである。付属アタッチメント１１３は、装置１００（図１）により供給された流体を、付属アタッチメント１１３底に対向する面に排出するように構成された室内装飾クリーニングヘッドである。いくつかの実施形態において、付属アタッチメント１１３は、グラウトクリーニングヘッド、ハード面クリーニングヘッド、カーペットクリーニングヘッド、またはその他の好適なタイプのクリーニングヘッド等の、異なるタイプの面と相互に作用するように構成された、種々のタイプのクリーニングヘッドである。
【０１０６】
付属アタッチメント１１３は、アジテータ２１９によって、付属アタッチメント１１３底に対向する面を攪拌し、ボディ１０１内の真空モータに提供された吸引力に基づいて、空気、流体または屑のうち、１またはそれ以上を付属アタッチメント１１３の底に対向する面からノズル２２１に吸い込むように構成されている。エキストラクションシステム１０８により提供された吸引力は、付属アタッチメント１１３のノズルを通じて、ハンドル空気路へ、および、付属アタッチメント１１３が取り付けられたホースへと、空気、流体または屑のうち、１またはそれ以上を吸い込む。
【０１０７】
付属アタッチメント１１３は、アクセサリ空気路１４０３を含むアクセサリ継手１４０１、アクセサリ流体継手１４０５、および、付属ハンドグリップ１１７の第二端部１２１１にかみ合うように構成されたアクセサリ電気継手１４０７を含む。アクセサリ継手１４０１は、付属ハンドグリップ１１７から取り付けられた付属アタッチメント１１３への流体移動、取り付けられた付属アタッチメント１１３への電気供給、および、取り付けられた付属アタッチメント１１３のアクセサリ空気路１４０３と第一ハンドル空気路１２２１とのリンクを容易にするように構成されている。
【０１０８】
付属アタッチメント１１３は、その中に区画されるキャビティを有するアクセサリボディを区画する、１またはそれ以上の側壁を含む。ノズル２２１は、管、シャフト、ホース、チャネル、またはその他の好適な構造のうち、１またはそれ以上によって、アクセサリボディを通じ、アクセサリ空気路１４０３と連結されている。
【０１０９】
アジテータ２１９は、ブラシ、スピンブラシ、回転ブラシ、ブレード、またはその他の好適な構造のうち、１またはそれ以上を含む。アジテータモータ１４０９は、アクセサリ電気継手１４０７と連結されている。アジテータモータ１４０９は、第二ハンドル電気コンタクト１２１９（図１２）によって受けた電気に基づいて、アジテータ２１９を動かすように構成されている。いくつかの実施形態において、アジテータモータ１４０９は、アジテータ２１９をノズル２２１に向かう方向に動かすように構成されている。いくつかの実施形態において、アジテータモータ１４０９は、アジテータ２１９をノズル２２１から離れる方向に動かすように構成されている。
【０１１０】
図１５は、いくつかの実施形態によるコントロールシステム１５００の概略図である。コントロールシステム１５００は、真空モータ６０３、アジテータモータ１４０９、流体ポンプ６０５、電気コンタクト３０９、パワーボタン１３０、およびヘッドライト６１９と連結されたコントローラー６０１を含む。
【０１１１】
コントローラー６０１は、パワーボタン１３０の位置に基づいて、真空モータ６０３をＯＮまたはＯＦＦにするように構成されている。コントローラー６０１は、パワーボタン１３０の状態または付属ハンドグリップ１１７（図１２）のトリガー１２２４（図１２）の位置に基づいて、アジテータモータ１４０９に電力を供給する、および、アジテータモータ１４０９にインストラクションを出力する、のうち、１またはそれ以上を起こすように構成されている。いくつかの実施形態において、コントローラー６０１は、パワーボタン１３０の位置に基づいて、電気コンタクト３０９に電力を供給するように構成されている。
【０１１２】
いくつかの実施形態において、コントローラー６０１は、パワーボタン１３０の状態およびトリガー１２２４の作動に基づいて、ボディ１０１のボディ流体継手４０１（図４）を経由して、流体が洗浄流体タンク１０３（図１）から流体継手３１１（図３）に流れるように構成されている。
【０１１３】
図１６は、いくつかの実施形態による流体の流れシステム１６００の図である。流体の流れシステム１６００は、ボディ流体継手４０１、流体ポンプ６０５、および、流体継手３１１を連結する複数の流体流路１６０１ａ〜１６０１ｅを含む。
【０１１４】
例として、流体流路１６０１ａ〜１６０１ｅは、ボディ流体継手４０１、３方コネクタ１６０３、流体ポンプ６０５、流体継手３１１、およびチェックバルブ１６０５を連結する。流体流路１６０１ａ〜１６０１ｅはそれぞれ、管、ホース、パイプ、ノズル、バルブ、流体結合器、またはそれを通じて流体が移動可能なその他の好適な路（パス）のうち、１またはそれ以上を含む。
【０１１５】
流体ポンプ６０５は、コントローラー６０１（図６）等の、装置１００のコントローラーと連結されている。使用において、流体ポンプ６０５は、洗浄流体を流体流路１６０１ｂから吸い込むようにする。流体流路１６０１ｂから吸い込まれた洗浄流体は、ボディ流体継手４０１、流体流路１６０１ａ、および３方コネクタ１６０３によって洗浄流体タンク１０３（図１）から直接に吸い込まれた洗浄流体、または、洗浄流体タンク１０３から吸い込まれ、流体流路１６０１ｂ、１６０１ｃ、１６０１ｄ、および１６０１ｅ、を循環し、そして３方コネクタ１６０３によって受けた洗浄流体、のうち、１またはそれ以上を含む。
【０１１６】
洗浄流体タンク１０３から吸い込まれた洗浄流体は、流体ポンプ６０５の入口に吸い込まれ、流体ポンプ６０５の出口から流体流路１６０１ｃに出力される。
【０１１７】
流体継手３１１の入口３１１ａは、流体流路１６０１ｃと連結されている。流体継手３１１の流体システム出口３１１ｂは、流体流路１６０１ｄと連結されている。使用において、アクセサリコネクタ１１０１の流体コネクタ３１１等の流体コネクタが流体継手３１１に連結されていない場合、流体継手３１１は、洗浄流体が流体流路１６０１ｃから流体流路１６０１ｄに流れるように構成されている。アクセサリコネクタが流体継手３１１に連結されている場合、流体継手３１１は、洗浄流体がアクセサリ流体出口３１１ｃから流出し、流体継手３１１によって装置１００に連結された付属アタッチメントに入るように構成されている。
【０１１８】
チェックバルブ１６０５の入口は、流体流路１６０１ｄによって、流体継手３１１の出口と連結されている。チェックバルブ１６０５の出口は、流体流路１６０１ｅによって、３方コネクタ１６０３と連結されている。使用において、流体継手３１１がアクセサリコネクタに連結されていない場合、流体ポンプ６０５により出力された洗浄流体は、流体流路１６０１ｄに流れる。流体流路１６０１ｄ内で圧力限界値を超えるまで圧力が溜まったら、  チェックバルブ１６０５が開き、洗浄流体が流体流路１６０１ｅに流れる。
【０１１９】
いくつかの実施形態において、流体継手３１１がアクセサリコネクタに連結されている場合、チェックバルブ１６０５は、流体継手３１１が、洗浄流体をアクセサリ流体出口１６１３ｃによって取り付けられたアクセサリに流すまで、圧力が流体流路１６０１ｄ内に溜めるように構成されている。取り付けられたアクセサリが、洗浄流体がアクセサリによって出力されない状態にあるとき、限界値圧力に達するまで圧力が継続して流体流路１６０１ｄに溜まる。限界値圧力に達すると、流体継手３１１に取り付けられたアクセサリで、チェックバルブ１６０５が開き、洗浄流体が流体流路１６０１ｅに流れる。
【０１２０】
３方コネクタ１６０３は、流体流路１６０１ａおよび流体流路１６０１ｅから、洗浄流体を受けるように構成されている。いくつかの実施形態において、３方コネクタ１６０３は、流体流路１６０１ａ、流体流路１６０１ｅから受けとった流体、または、その混合物を流体流路１６０１ｂへと出力するように構成されている。いくつかの実施形態において、３方コネクタ１６０３は、バルブである。いくつかの実施形態において、流体ポンプ６０５が、洗浄流体タンク１０３から直接吸い込まれた洗浄流体、洗浄流体タンク１０３から吸い込まれ、再循環された洗浄流体、またはそれらの組み合わせを受けとったとしても、流れを容易にするように、３方コネクタは、たとえば、流体流路１６０１ｅにおける、流体ポンプ６０５により発生する圧力、または、流体流路１６０１ａにおける、洗浄流体タンク１０３内の洗浄流体の、３方コネクタ１６０３に対する相対的な高さによって発生する圧力に依存している。
【０１２１】
いくつかの実施形態において、チェックバルブ１６０５は、３方コネクタ１６０３に含まれており、流体流路１６０１ｄおよび１６０１ｅは、流体継手３１１および３方コネクタ１６０３の間に仲介コンポーネントを有することのない、継続的パスである。
【０１２２】
いくつかの実施形態において、流体継手３１１は、流体分流加減器、バルブ、または、その他の好適な、取り付けられたアクセサリへの流体の流れがチェックバルブ１６０５からの戻り圧力に依存しないように、アクセサリに連結されたアクセサリ流体継手に基づいて、流体継手３１１の入口３１１ａからの流体の流れをアクセサリ流体出口３１１ｃに向けるように構成された構造を含む。いくつかの実施形態において、流体ポンプ６０５は、少なくとも流体流路１６０１ｃ内の流体圧力が、特定のしきい値より大きい場合にＯＦＦされるように構成されている。
【０１２３】
図１７は、いくつかの実施形態による、方法１７００のフローチャートである。いくつかの実施形態において、方法１７００の１またはそれ以上の工程は、装置１００（図１）、または、プロセッサに基づいたシステム１８００（図１８）に含まれたプロセッサによって実行される。
【０１２４】
工程１７０１では、スイッチが第一運転位置または第二運転位置にあることに基づいて、コントローラーが真空モータに電力を供給する。
【０１２５】
工程１７０３では、スイッチが第一運転位置または第二運転位置にあることに基づいて、洗浄流体タンクに収容された流体が、洗浄流体タンクから吸い込まれる。
【０１２６】
工程１７０５では、アクセサリコネクタと装置の流体継手の間の継手、および、流体を付属アタッチメントに流れ込ませるように構成されたトリガーの作動に基づいて、洗浄流体タンクから吸い込まれた流体が付属アタッチメントの流体出口から吐出される。いくつかの実施形態において、スイッチが第一運転位置にある場合、コントローラーと連結し、付属アタッチメントのアジテータを動かすように構成されたアジテータモータが作動する。いくつかの実施形態において、スイッチが第一位置にあり、トリガーが作動したら、コントローラーは、アジテータモータがアジテータを動かすようにする。いくつかの実施形態において、コントローラーは、アジテータモータがアジテータを動かすことができるかどうか、たとえば、アジテータモータが作動し、スイッチが第一運転位置にある時に、アジテータにつまりが生じているか、を検出する。アジテータが、動くことができない場合、コントローラーは、スイッチが第一運転位置にあるとき、アジテータモータ、真空モータ、または、洗浄流体タンクから流体を吸い込む流体ポンプのうち、１またはそれ以上を、不作動にする。
【０１２７】
工程１７０７では、スイッチが第一運転位置にあり、かつ、「流体継手が閉じている」、「アクセサリコネクタが流体継手に連結していない」、または、「付属アタッチメントによって流体を吐出するように構成されたトリガーが作動していない」、のうち、１またはそれ以上を満たすとき、洗浄タンクから吸い込まれた流体を、流体ポンプに再循環させる。
【０１２８】
工程１７０９では、空気、屑、液体、または、流体の一部のうち、１またはそれ以上を、真空モータが、洗浄流体タンクとは分離された、リカバリータンクに吸い込む。
【０１２９】
図１８は、実施形態が実施される、コンピューター、または、プロセッサに基づいたシステム１８００の機能ブロック図である。
【０１３０】
プロセッサに基づいたシステム１８００は、装置１００等の流体エキストラクションシステムを、本明細書中に説明されたように操作するようにプログラムされており、たとえば、バス１８０１、プロセッサ１８０３、およびメモリ１８０５のコンポーネントを含む。
【０１３１】
いくつかの実施形態において、プロセッサに基づいたシステム１８００は、単一の“ｓｙｓｔｅｍ  ｏｎ  ａ  ｃｈｉｐ”として実行される。プロセッサに基づいたシステム１８００、またはその一部は、液体エキストラクションシステム運転の１またはそれ以上の工程を実行する機構を構成する。
【０１３２】
いくつかの実施形態において、プロセッサに基づいたシステム１８００は、プロセッサに基づいたシステム１８００のコンポーネント間で情報および／またはインストラクションを渡す、バス１８０１等の伝達機構を含む。プロセッサ１８０３は、メモリ１８０５に格納された実行インストラクションおよび処理情報を得るために、バス１８０１に接続されている。いくつかの実施形態において、プロセッサ１８０３はまた、１またはそれ以上のデジタルシグナルプロセッサ（ＤＳＰ）、または１またはそれ以上のａｐｐｌｉｃａｔｉｏｎ−ｓｐｅｃｉｆｉｃ  ｉｎｔｅｇｒａｔｅｄ  ｃｉｒｃｕｉｔｓ  （ＡＳＩＣ）等の、特定の処理機能およびタスクを実行する１またはそれ以上の特定コンポーネントを伴う。ＤＳＰは、典型的には、リアルワールド信号（たとえば、サウンド）をリアルタイムにプロセッサ１８０３から独立して、処理するように構成されている。これに類似して、ＡＳＩＣは、汎用プロセッサにより簡単に実行できない特定機能を実行するように構成可能である。本明細書中に説明された機能を実行するのを助けるその他の特定コンポーネントは、１またはそれ以上のｆｉｅｌｄ  ｐｒｏｇｒａｍｍａｂｌｅ  ｇａｔｅ  ａｒｒａｙｓ（ＦＰＧＡ）、１またはそれ以上のコントローラー、または、１またはそれ以上の、その他の特定目的用コンピューターチップを任意に含む。
【０１３３】
１またはそれ以上の実施形態において、プロセッサ（またはマルチプロセッサ）１８０３は、メモリ１８０５に格納された、液体エキストラクションシステム運転に関連するインストラクションのセットにより特定された情報により、運転を実行する。インストラクションの実行により、プロセッサが特定機能を実行する。
【０１３４】
プロセッサ１８０３および備え付けのコンポーネントは、バス１８０１を通じてメモリ１８０５に接続されている。メモリ１８０５は、実行可能なインストラクションを格納する、ダイナミックメモリ（たとえば、ＲＡＭ、磁気ディスク、書き込み可能光ディスク、等）およびスタティックメモリ（たとえば、ＲＯＭ、ＣＤ−ＲＯＭ、等）のうち、１またはそれ以上を含み、実行されたとき、本明細書中に説明された工程を行い液体エキストラクションシステムを操作する。メモリ１８０５はまた、工程の実行に関連する、または工程の実行により発生したデータも格納する。
【０１３５】
１またはそれ以上の実施形態において、ランダムアクセスメモリ（ＲＡＭ）またはその他のダイナミック記録デバイス等の、メモリ１８０５は、液体エキストラクションシステム運転のためのプロセッサインストラクションを含む情報を格納する。ダイナミックメモリは、そこに格納された情報をシステム１８００によって変更することを可能にする。ＲＡＭは、メモリアドレスと呼ばれる場所に格納された情報ユニットを、近隣アドレスの情報とは独立して格納および回収することを可能にする。メモリ１８０５はまた、プロセッサインストラクション実行中、臨時の値を格納するのに、プロセッサ１８０３にも使用される。多様な実施形態において、メモリ１８０５は、読み出し専用メモリ（ＲＯＭ）、または、バス１８０１に連結され、スタティック情報を格納する、その他のスタティック格納デバイスである。スタティック情報には、システム１８００によって変更されないインストラクションを含む。メモリは、電力を失ったとき、そこに格納された情報を失う揮発性メモリにより構成されることがある。いくつかの実施形態において、メモリ１８０５は、システム１８００がＯＦＦになったとき、または電力を失った時にでも残る、インストラクションを含む情報を格納する磁気ディスク、光ディスクまたはフラッシュカード等の、非揮発性（持続性）格納デバイスである。
【０１３６】
本明細書中に使用される、“コンピューターで読み込み可能な媒体”という表現は、プロセッサ１８０３にインストラクション実行を含む情報を与えるのに寄与するいかなる媒体も意味する。そのような媒体は、以下を含む多くの形態をとるが、これらに限られない：コンピューター読み込み可能な格納媒体（たとえば、非揮発性媒体、揮発性媒体）。非揮発性媒体には、たとえば、光または磁気ディスクが含まれる。揮発性媒体は、たとえば、ダイナミックメモリを含む。コンピューター読み込み可能な媒体の一般的な形態は、たとえば、フロッピーディスク、フレキシブルディスク、ハードディスク、磁気テープ、その他磁気媒体、ＣＤ−ＲＯＭ、ＣＤＲＷ、ＤＶＤ、その他光媒体、パンチカード、ペーパーテープ、光マークシート、その他孔パターンまたはその他光認識可能な特徴を有する物理的媒体、ＲＡＭ、ＰＲＯＭ、ＥＰＲＯＭ、ＦＬＡＳＨ−ＥＰＲＯＭ、ＥＥＰＲＯＭ、フラッシュメモリ、その他メモリチップまたはカートリッジ、またはその他の、コンピューターが読み込み可能な媒体が含まれる。本明細書中に使用されたコンピューター読み込み可能な記録媒体という表現は、コンピューター読み込み可能な媒体を指す。
【０１３７】
本明細書中の１の態様は、ボディ、第一タンク、第二タンク、真空モータ、流体ポンプ、およびコントローラーを含む装置に関する。ボディは、ハンドル、第一流体継手、第一空気路、第二空気路、および流体出口および電気コンタクトを含むアクセサリ接続レセプタクル、を含む。第一タンクは、ハンドルの第一側にある。第一タンクは、流体を収容するように構成された第一容器、および、第一流体継手と連結された第二流体継手を含む。第二タンクは、ハンドルの第二側にある。第二タンクは、第一容器とは分離された第二容器、第一空気路と連結された第三空気路、および、第二空気路と連結された第四空気路を含む。真空モータは、第二タンクによって第二空気路と連結された入口を有する。流体ポンプは、第一流体継手および流体出口と連結されている。コントローラーは、真空モータ、流体ポンプ、および電気コンタクトと連結されている。コントローラーは、流体ポンプを作動させて第一タンクに含有された流体を流体出口に供給し、真空モータを作動させて、第二空気路によって、空気、屑、液体または流体の一部のうち、１またはそれ以上を第二タンクに吸い込むように構成されている。アクセサリ接続レセプタクルは、アクセサリ接続レセプタクルとかみ合うように構成され、流体出口および電気コンタクトと連結された、対応する形状のアクセサリコネクタを収容するように構成されている。
【０１３８】
本明細書におけるその他の態様は、ボディ、第一タンク、第二タンク、真空モータ、流体ポンプ、コントローラー、およびアクセサリ連結パッケージを含む装置に関する。ボディは、第一流体継手、第一空気路、第二空気路、流体出口および電気コンタクトを含むアクセサリ接続レセプタクル、および、アクセサリ接続レセプタクルとは分離され、第二空気路と連結されたアクセサリ接続空気路を含む。第一タンクは、ボディの第一側にある。第一タンクは、流体を収容するように構成された第一容器、および、第一流体継手と連結された第二流体継手を含む。第二タンクは、ボディの第二側にある。第二タンクは、第一容器とは分離された第二容器、第一空気路と連結された第三空気路、および、第二空気路と連結された第四空気路を含む。真空モータは、第二タンクによって第二空気路と連結された入口を有する。流体ポンプは、第一流体継手および流体出口と連結されている。コントローラーは、真空モータ、流体ポンプ、および電気コンタクトと連結されている。コントローラーは、流体ポンプを作動させて第一タンクに含有される流体を流体出口に供給し、真空モータを作動させて、アクセサリ接続空気路によって、空気、屑、液体または流体の一部のうち、１またはそれ以上を第二タンクに吸い込むように構成されている。アクセサリ連結パッケージは、ホース、流体供給ライン、電力供給ライン、流体供給ラインおよび電力供給ラインと連結したアクセサリコネクタ、および、付属ハンドグリップを含む。付属ハンドグリップは、流体供給ラインと連結された流体継手、電力供給ラインと連結された電気継手、および、ホースと連結されたハンドグリップ空気路を有する。アクセサリコネクタは、アクセサリ接続レセプタクルとかみ合うように、そして流体出口および電気コンタクトと連結されるように構成されている。ホースは、アクセサリ接続空気路と連結されるように構成されている。
【０１３９】
本明細書におけるさらに別の態様は、ボディ、第一タンク、第二タンク、真空モータ、流体ポンプ、コントローラー、およびアクセサリ連結パッケージを含む装置に関する。ボディは、第一流体継手、第一空気路、第二空気路、流体出口および電気コンタクトを含むアクセサリ接続レセプタクル、および、アクセサリ接続レセプタクルとは分離した、第二空気路と連結されたアクセサリ接続空気路を含む。第一タンクは、ボディの第一側にある。第一タンクは、流体を収容するように構成された第一容器、および、第一流体継手と連結された第二流体継手を含む。第二タンクは、ボディの第二側にある。第二タンクは、第一容器とは分離された第二容器を含む。第二容器は、第一空気路と連結されるように構成された第三空気路、および第二空気路と連結されるように構成された第四空気路を有する。第三空気路および第二空気路のそれぞれは、第二容器内のキャビティから、そしてキャビティへの空気の流れを促進するように構成されている。真空モータは、第二タンクによって第二空気路と連結された入口を有する。流体ポンプは、第一流体継手および流体出口と連結されている。コントローラーは、真空モータ、流体ポンプ、および電気コンタクトと連結されている。コントローラーは、流体ポンプを作動させて第一タンクに含有される流体を流体出口に供給し、真空モータを作動させて、アクセサリ接続空気路によって、空気、屑、液体または流体の一部のうち、１またはそれ以上を第二タンクに吸い込むように構成されている。アクセサリ連結パッケージは、ホース、流体供給ライン、電力供給ライン、電力供給ラインおよび流体供給ラインと連結したアクセサリコネクタ、および、付属ハンドグリップを含む。付属ハンドグリップは、流体供給ラインと連結された流体継手、電力供給ラインと連結された電気継手、および、ホースと連結されたハンドグリップ空気路を含む。アクセサリコネクタは、流体出口を流体供給ラインと連結し、電気コンタクトを電力供給ラインと連結するように、アクセサリ接続レセプタクルとかみ合うように構成されている。ホースは、ハンドグリップ空気路をアクセサリ接続空気路に連結するように、アクセサリ接続空気路と連結されるように構成されている。
【０１４０】
上記では、当業者が本開示の態様をより良く理解するように、いくつかの実施形態の特徴を説明している。当業者は、本開示を設計のベースに使用するか、または同じ目的および／またはここに紹介された実施形態と同じ利点を達成するのに、その他のプロセスを変更できる。当業者はまた、そのような同等の構造は、本開示の精神および範囲から逸脱しないものであり、本開示の精神および範囲から逸脱しないで多様な変更、代替、および改造が可能であるということを認識すべきである。上述の説明、および請求項では、いくつかの実施形態の特徴が特定の組み合わせで表現されているが、実施形態について説明された特徴または工程は、どのような組み合わせまたは順番にもアレンジすることができる。
【図１】
2019072464.tif 000003
【図２】
2019072464.tif 000004
【図３】
2019072464.tif 000005
【図４】
2019072464.tif 000006
【図５】
2019072464.tif 000007
【図６】
2019072464.tif 000008
【図７】
2019072464.tif 000009
【図８】
2019072464.tif 000010
【図９】
2019072464.tif 000011
【図１０】
2019072464.tif 000012
【図１１】
2019072464.tif 000013
【図１２】
2019072464.tif 000014
【図１３】
2019072464.tif 000015
【図１４】
2019072464.tif 000016
【図１５】
2019072464.tif 000017
【図１６】
2019072464.tif 000018
【図１７】
2019072464.tif 000019
【図１８】
2019072464.tif 000020
【外国語明細書】
2019072464.tif 000021
2019072464.tif 000022
2019072464.tif 000023
2019072464.tif 000024
2019072464.tif 000025
2019072464.tif 000026
2019072464.tif 000027
2019072464.tif 000028
2019072464.tif 000029
2019072464.tif 000030
2019072464.tif 000031
2019072464.tif 000032
2019072464.tif 000033
2019072464.tif 000034
2019072464.tif 000035
2019072464.tif 000036
2019072464.tif 000037
2019072464.tif 000038
2019072464.tif 000039
2019072464.tif 000040
2019072464.tif 000041
2019072464.tif 000042
2019072464.tif 000043
2019072464.tif 000044
2019072464.tif 000045
2019072464.tif 000046
2019072464.tif 000047
2019072464.tif 000048
2019072464.tif 000049
2019072464.tif 000050
2019072464.tif 000051
2019072464.tif 000052
2019072464.tif 000053
2019072464.tif 000054
2019072464.tif 000055
2019072464.tif 000056
2019072464.tif 000057
2019072464.tif 000058
2019072464.tif 000059
2019072464.tif 000060
2019072464.tif 000061
2019072464.tif 000062
2019072464.tif 000063
2019072464.tif 000064
2019072464.tif 000065
2019072464.tif 000066
2019072464.tif 000067
2019072464.tif 000068
2019072464.tif 000069
2019072464.tif 000070
2019072464.tif 000071
2019072464.tif 000072
2019072464.tif 000073
2019072464.tif 000074
2019072464.tif 000075
2019072464.tif 000076
2019072464.tif 000077
2019072464.tif 000078
2019072464.tif 000079
2019072464.tif 000080
2019072464.tif 000081
2019072464.tif 000082
2019072464.tif 000083
2019072464.tif 000084